(57)【特許請求の範囲】
【請求項１】
電力決定装置により、第１のセルのサービング基地局により送信された前記第１のセルの容量情報を受信するステップであって、前記第１のセルの前記容量情報は第２のセルの特定のリソースで前記第２のセルのサービング基地局により事前設定された送信電力に対応し、前記第１のセルは、犠牲セルであり、前記第２のセルは、攻撃セルであり、前記特定のリソースは前記第１のセルと前記第２のセルにより共有される無線リソースであるステップ（１０１）と、
前記電力決定装置により、前記第1のセルの容量を保障するために、前記第２のセルの前記特定のリソースで前記第２のセルのサービング基地局により使用される送信電力を前記第１のセルの前記容量情報に従って決定するステップ（１０３）と、
を含む、送信電力を決定するための方法。
【請求項２】
前記電力決定装置により、前記第２のセルの前記特定のリソースで前記第２のセルのサービング基地局により使用される送信電力を前記第１のセルの前記容量情報に従って決定するステップは、
前記電力決定装置により、前記第１のセルの平均容量を前記第１のセルの前記容量情報に従って計算し、前記第２のセルの前記特定のリソースで前記第２のセルのサービング基地局により使用される送信電力を前記第１のセルの前記平均容量に従って決定するステップ
を含む、請求項１に記載の方法。
【請求項３】
前記第２のセルの前記特定のリソースで前記第２のセルのサービング基地局により使用される送信電力を前記第１のセルの前記平均容量に従って決定するステップは、
前記電力決定装置により、前記第１のセルの前記平均容量が所定の容量閾値を満たす複数の送信電力から最大送信電力を判定し、前記最大送信電力を前記第２のセルの前記特定のリソースで前記第２のセルのサービング基地局により使用される送信電力として使用するステップ
を含む、請求項２に記載の方法。
【請求項４】
前記第２のセルの前記特定のリソースで前記第２のセルのサービング基地局により事前設定された複数の送信電力が存在し、前記第２のセルの前記特定のリソースで前記第２のセルのサービング基地局により事前設定された送信電力と１対１に対応する前記第１のセルの複数の容量情報が存在する、請求項１乃至３の何れか１項に記載の方法。
【請求項５】
前記電力決定装置により前記第２のセルの容量情報を取得するステップであって、前記第２のセルの前記容量情報は前記第２のセルの前記特定のリソースで前記第２のセルのサービング基地局により事前設定された送信電力に対応するステップをさらに含み、
前記電力決定装置により、前記第２のセルの前記特定のリソースで前記第２のセルのサービング基地局により使用される送信電力を前記第１のセルの前記容量情報に従って決定するステップは、前記電力決定装置により、前記第２のセルの前記特定のリソースで前記第２のセルのサービング基地局により使用される送信電力を前記第１のセルの前記容量情報および前記第２のセルの前記容量情報に従って決定するステップを含む、
請求項１に記載の方法。
【請求項６】
前記第２のセルの前記特定のリソースで前記第２のセルのサービング基地局により事前設定された複数の送信電力が存在し、前記第２のセルの前記特定のリソースで前記第２のセルのサービング基地局により事前設定された送信電力と１対１に対応する前記第１のセルの複数の容量情報が存在し、前記第２のセルの前記特定のリソースで前記第２のセルのサービング基地局により事前設定された送信電力と１対１に対応する前記第２のセルの複数の容量情報が存在し、
前記第２のセルの前記特定のリソースで前記第２のセルのサービング基地局により使用される送信電力を前記第１のセルの前記容量情報と前記第２のセルの容量情報に従って決定するステップは、
前記第１のセルと前記第２のセルの総容量情報を前記第１のセルの前記容量情報と前記第２のセルの容量情報に従って計算するステップであって、前記第２のセルの前記特定のリソースで前記第２のセルのサービング基地局により事前設定された送信電力と１対１に対応する複数の総容量情報が存在するステップと、
計算した前記複数の総容量情報から最大総容量情報を選択し、前記最大総容量情報に対応する容量を前記第２のセルの前記特定のリソースで前記第２のセルのサービング基地局により使用される送信電力とするステップと、
を含む、請求項５に記載の方法。
【請求項７】
前記電力決定装置は、制御ノードまたは前記第２のセルの前記サービング基地局である、請求項１乃至６の何れか１項に記載の方法。
【請求項８】
受信器（４０１）と第１のプロセッサ（４０２）を備えた電力決定装置であって、
前記受信器（４０１）は、第１のセルのサービング基地局により送信された前記第１のセルの容量情報を受信するように構成され、前記第１のセルの前記容量情報は第２のセルの特定のリソースで前記第２のセルのサービング基地局により事前設定された送信電力に対応し、前記第１のセルは、犠牲セルであり、前記第２のセルは、攻撃セルであり、前記特定のリソースは前記第１のセルと前記第２のセルにより共有された無線リソースであり、
前記第１のプロセッサ（４０２）は、前記第1のセルの容量を保障するために、前記第２のセルの前記特定のリソースで前記第２のセルのサービング基地局により使用される送信電力を、前記受信器が受信した前記第１のセルの前記容量情報に従って決定するように構成された、
電力決定装置。
【請求項９】
前記第１のプロセッサは、前記第１のセルの平均容量を前記第１のセルの前記容量情報に従って計算し、前記第２のセルの前記特定のリソースで前記第２のセルのサービング基地局により使用される送信電力を前記第１のセルの前記平均容量の情報に従って決定するように構成された、請求項８に記載の装置。
【請求項１０】
前記第１のプロセッサは、前記電力決定装置に対して、前記第１のセルの前記平均容量が所定の容量閾値を満たす最大送信電力を決定し、前記最大送信電力を前記第２のセルの前記特定のリソースで前記第２のセルのサービング基地局により使用される送信電力とするように構成された、請求項９に記載の装置。
【請求項１１】
前記第２のセルの前記特定のリソースで前記第２のセルのサービング基地局により事前設定された複数の送信電力が存在し、前記第２のセルの前記特定のリソースで前記第２のセルのサービング基地局により事前設定された送信電力と１対１に対応する前記第１のセルの複数の容量情報が存在する、請求項８乃至１０の何れか１項に記載の装置。
【請求項１２】
前記第２のセルの容量情報を取得し、前記特定のリソースで前記第２のセルのサービング基地局により使用される送信電力を、前記第１のセルの前記容量情報と前記第２のセルの前記容量情報に従って決定するように構成された第２のプロセッサであって、前記第２のセルの前記容量情報は前記第２のセルの前記特定のリソースで前記第２のセルのサービング基地局により事前設定された送信電力に対応する第２のプロセッサをさらに備えた、請求項８に記載の装置。
【請求項１３】
前記第２のプロセッサは計算ユニットと決定ユニットを備え、
前記第２のセルの前記特定のリソースで前記第２のセルのサービング基地局により事前設定された複数の送信電力が存在し、前記第２のセルの前記特定のリソースで前記第２のセルのサービング基地局により事前設定された送信電力と１対１に対応する前記第１のセルの複数の容量情報が存在し、前記第２のセルの前記特定のリソースで前記第２のセルのサービング基地局により事前設定された送信電力と１対１に対応する前記第２のセルの複数の容量情報が存在し、
前記計算ユニットは、前記第１のセルと前記第２のセルの総容量情報を前記第１のセルの前記容量情報および前記第２のセルの前記容量情報に従って計算するように構成され、前記第２のセルの前記特定のリソースで前記第２のセルのサービング基地局により事前設定された送信電力と１対１に対応する複数の総容量情報が存在し、
前記決定ユニットは、計算された前記複数の総容量情報から最大総容量情報を選択し、前記最大総容量情報に対応する容量を前記第２のセルの前記特定のリソースで前記第２のセルのサービング基地局により使用される送信電力とするように構成された、
請求項１２に記載の装置。
【請求項１４】
前記電力決定装置は制御ノードである、請求項８乃至１３の何れか１項に記載の装置。
【請求項１５】
前記電力決定装置は前記第２のセルの前記サービング基地局である、請求項８乃至１３の何れか１項に記載の装置。
【発明の詳細な説明】
【技術分野】
【０００１】
本願は発明の名称を「送信電力を決定するための方法および装置」とした、２０１２年３月２１日に中国国家知識産権局に出願した中国特許出願第２０１２１００７６２８６．２号に対する優先権を主張し、引用によりその全体を本明細書に組み込む。
【０００２】
本発明は、通信技術の分野に関し、特に、送信電力を決定するための方法および装置に関する。
【背景技術】
【０００３】
無線不均一ネットワーク（Ｈｅｔｅｒｏｇｅｎｅｏｕｓ  Ｎｅｔｗｏｒｋ、略してＨｅｔＮｅｔ）は一般に、マクロ・セル（Ｍａｃｒｏ  Ｃｅｌｌ）、ピコ・セル（Ｐｉｃｏ  Ｃｅｌｌ）、フェムト（Ｆｅｍｔｏ）セル等のような様々なネットワークから構成される。ＨｅｔＮｅｔネットワーク内の様々なセルが同一の無線リソースを共有することがある。しかし、様々なセルがダウンリンク信号を各ユーザ機器（Ｕｓｅｒ  Ｅｑｕｉｐｍｅｎｔ、ＵＥ）に送信するとき、当該セルは同一の無線リソースを用いてサービスを提供し、信号干渉が様々なセルの間で生じる可能性があり、したがってユーザ・エクスペリエンスが劣化する。
【発明の概要】
【発明が解決しようとする課題】
【０００４】
攻撃セル（Ａｇｇｒｅｓｓｏｒ  Ｃｅｌｌ）のサービング基地局がダウンリンク信号を同一の無線リソースで送信すると、当該同一の無線リソースで使用される送信電力が当該攻撃セルおよび犠牲セル（Ｖｉｃｔｉｍ  Ｃｅｌｌ）のセル容量に影響を及ぼす。特に、攻撃セルがダウンリンク信号を同一の無線リソースにおいて低い送信電力で送信すると、犠牲セルの容量は攻撃セル自体の容量を犠牲にすることによって増大する可能性がある。一方、攻撃セルがダウンリンク信号を同一の無線リソースにおいて高い送信電力で送信すると、攻撃セルは犠牲セルの容量を犠牲にすることによって自己の容量を増大させるであろう。今日まで、攻撃セルと犠牲セルのセル容量の間の合理的な妥協点を保証できるように、攻撃セルのサービング基地局によって同一の無線リソース上で使用される送信電力を構成する有効な解決策は存在しない。
【課題を解決するための手段】
【０００５】
本発明の１態様では、送信電力を決定するための方法を提供する。当該方法は、電力決定装置により、第１のセルのサービング基地局により送信された第１のセルの容量情報を受信するステップであって、当該第１のセルの容量情報は第２のセルの特定のリソースで第２のセルのサービング基地局により事前設定された送信電力に対応し、当該特定のリソースは当該第１のセルと当該第２のセルにより共有される無線リソースであるステップと、当該電力決定装置により、当該第２のセルの特定のリソースで当該第２のセルのサービング基地局により使用される送信電力を当該第１のセルの容量情報に従って決定するステップとを含む。
【０００６】
本発明の別の態様では電力決定装置を提供する。当該装置は受信器と第１のプロセッサを備える。当該受信器は、当該第１のセルのサービング基地局により送信された第１のセルの容量情報を受信するように構成され、当該第１のセルの容量情報は当該第２のセルの特定のリソースで第２のセルのサービング基地局により事前設定された送信電力に対応し、当該特定のリソースは当該第１のセルと当該第２のセルにより共有された無線リソースであり、当該第１のプロセッサは、当該第２のセルの特定のリソースで当該第２のセルのサービング基地局により使用される送信電力を当該第１のセルの容量情報に従って決定するように構成される。
【０００７】
本発明のさらに別の態様では、送信電力を決定するための方法を提供する。当該方法は、第１のセルのサービング基地局によって、当該第１のセルの容量情報を第２のセルのサービング基地局に送信するステップであって、当該第１のセルの容量情報は当該第２のセルの特定のリソースで当該第２のセルのサービング基地局によって事前設定された送信電力に対応し、当該特定のリソースは当該第１のセルと当該第２のセルにより共有された無線リソースであり、当該第１の容量情報は、当該第２のセルの特定のリソースで使用される送信電力を決定するために当該第２のセルのサービング基地局によって使用されるステップを含む。
【０００８】
本発明の１実施形態の別の態様では基地局を提供する。当該基地局は、第１のセルの容量情報を第２のセルのサービング基地局に送信するように構成された送信器を備える。当該第１のセルの容量情報は当該第２のセルの特定のリソースで当該第２のセルのサービング基地局によって事前設定された送信電力に対応し、当該特定のリソースは当該第１のセルと当該第２のセルにより共有された無線リソースであり、当該第１の容量情報は、当該第２のセルの特定のリソースで使用される送信電力を決定するために当該第２のセルのサービング基地局によって使用される。
【０００９】
本発明で提供する上述の技術的解決策により、電力決定装置が、当該第１のセルのサービング基地局によって送信された当該第１のセルの容量情報を受信し、当該第２のセルの特定のリソースで当該第２のセルのサービング基地局により使用される送信電力を当該第１のセルの容量情報に従って決定する。したがって当該第１のセル（即ち犠牲セル）の容量を保証することができる。
【００１０】
本発明の諸実施形態における技術的解決策をより明確に説明するために、以下では本発明の諸実施形態を説明するために必要な添付図面を簡単に説明する。明らかに、以下の説明における添付図面は本発明の諸実施形態の一部を示すにすぎず、当業者は創造的作業なしにこれらの添付図面に基づいて他の図面を得ることができる。
【図面の簡単な説明】
【００１１】
【図１】本発明の具体的な実施形態で提供する送信電力を決定するための方法を示す略流れ図である。
【図２】本発明の具体的な実施形態で提供する送信電力を決定するための方法を示す略流れ図である。
【図３】本発明の具体的な実施形態で提供する送信電力を決定するための方法を示す略流れ図である。
【図４】本発明の具体的な実施形態で提供する電力決定装置を示す装置の略ブロック図である。
【図５】本発明の具体的な実施形態で提供する電力決定装置を示す装置の略ブロック図である。
【図６】本発明の具体的な実施形態で提供する電力決定装置を示す装置の略ブロック図である。
【図７】本発明の具体的な実施形態で提供する基地局を示す装置の略ブロック図である。
【図８】本発明の具体的な実施形態で提供する基地局を示す装置の略ブロック図である。
【図９】本発明の具体的な実施形態で提供する送信電力を決定するためのシステムを示す略図である。
【発明を実施するための形態】
【００１２】
本発明の目的、技術的解決策、および利点をより明確にするために、以下では添付図面を参照して本発明の諸実施形態を詳細に説明する。
【００１３】
図１を参照すると、本実施形態では、送信電力を決定するための方法を提供する。当該方法は以下の内容を含む。
【００１４】
１０１では、電力決定装置が当該第１のセルのサービング基地局により送信された第１のセルの容量情報を受信する。当該第１のセルの容量情報は当該第２のセルの特定のリソースで第２のセルのサービング基地局により事前設定された送信電力に対応し、当該特定のリソースは当該第１のセルと当該第２のセルにより共有される無線リソースである。
【００１５】
１０３では、当該電力決定装置が当該第２のセルの特定のリソースで当該第２のセルのサービング基地局により使用される送信電力を当該第１のセルの容量情報に従って決定する。
【００１６】
本実施形態で提供する上述の技術的解決策により、電力決定装置は、当該第１のセルのサービング基地局により送信された第１のセルの容量情報を受信し、当該第２のセルの特定のリソースで第２のセルのサービング基地局により使用される送信電力を当該第１のセルの容量情報に従って決定する。したがって、当該第１のセルの容量を保証することができる。
【００１７】
本発明の当該実施形態では、犠牲セルを第１のセルと称し、攻撃セルを第２のセルと称し、第１のセルと第２のセルにより共有される無線リソースを特定のリソースと称する。以下の実施形態では、当該第１のセルのサービング基地局を短縮して第１の基地局と称してもよく、当該第２のセルのサービング基地局を短縮して第２の基地局と称してもよい。
【００１８】
特に、上の１０３では、電力決定装置が当該第２のセルの特定のリソースで当該第２のセルのサービング基地局により使用される送信電力を当該第１のセルの容量情報に従って決定することは、電力決定装置が、当該第１のセルの平均容量を当該第１のセルの容量情報に従って計算し、当該第２のセルの特定のリソースで当該第２のセルのサービング基地局により使用される送信電力を決定することを含む。特に、電力決定装置が当該第２のセルの特定のリソースで当該第２のセルのサービング基地局により使用される送信電力を決定することは、電力決定装置が、当該第１のセルの当該平均容量が所定の容量閾値を満たす最大送信電力を決定し、当該最大送信電力を当該第２のセルの特定のリソースで当該第２のセルのサービング基地局により使用される送信電力とすることを含む。
【００１９】
実装の過程において、電力決定装置がＮ個の第１の基地局が送信した第１のセルの容量情報を受信すると仮定し、第２の基地局により当該第２のセルの特定のリソースで事前設定された送信電力がＰ１、Ｐ２、Ｐ３、およびＰ４であると仮定する。例えば、第１の基地局Ｎｏ．１により計算された第１のセルの容量はＣ１（１）、Ｃ２（１）、Ｃ３（１）およびＣ４（１）であり、第２の基地局の特定のリソースで第２の基地局により事前設定された送信電力Ｐ１、Ｐ２、Ｐ３、およびＰ４と１対１に対応する。第１の基地局Ｎｏ．２により計算された第１のセルの容量はＣ１（２）、Ｃ２（２）、Ｃ３（２）およびＣ４（２）であり、第２のセルの特定のリソースで第２の基地局により事前設定された送信電力Ｐ１、Ｐ２、Ｐ３、およびＰ４と１対１に対応する。第１の基地局Ｎｏ．Ｎにより計算された第１のセルの容量はＣ１（Ｎ）、Ｃ２（Ｎ）、Ｃ３（Ｎ）およびＣ４（Ｎ）であり、第２のセルの特定のリソースで第２の基地局により事前設定された送信電力Ｐ１、Ｐ２、Ｐ３、およびＰ４と１対１に対応する。
【００２０】
電力決定装置は、第２のセルの特定のリソースで第２の基地局により事前設定された送信電力Ｐ１、Ｐ２、Ｐ３およびＰ４とそれぞれ対応するＮ個の第１のセルの平均容量を計算する。Ｐ１に関して、Ｎ個の第１のセルの平均容量は
【００２１】
【数１】
0005935197.tif 000002
【００２２】
である。ここで、Ｌｋは第１のセルＮｏ．ｋの負荷因子である。実装の過程において、第１の基地局と第２の基地局は、Ｘ２接続を確立するときにその負荷情報を交換する。第２の基地局は、第１の基地局により送信された負荷情報を受信し、当該負荷情報を解析して第１のセルの負荷因子を取得する。残りのＰ２、Ｐ３およびＰ４に対応するＮ個の第１のセルの平均容量は同様に計算される。
【００２３】
当該電力決定装置は、Ｎ個の第１のセルの平均容量が所定の容量閾値（Cthreshold）を満たす最大送信電力を決定し、当該最大送信電力を当該第２のセルの特定のリソースで当該第２のセルのサービング基地局により使用される送信電力とする。例えば、Ｐ１＜Ｐ２＜Ｐ３＜Ｐ４とし、Ｐ１とＰ２に対応するＮ個の第１のセルの平均容量が所定の容量閾値Cthresholdを満たすとすると、当該電力決定装置はＰ２を優先的に当該第２のセルの特定のリソースで当該第２のセルのサービング基地局により使用される送信電力として選択する。即ち、Ｎ個の第１のセルの平均容量の閾値が満たされ、大きな送信電力により第２のセルの大きな容量を可能とすることができる。
【００２４】
上述の実施形態では、電力決定装置が、当該第１のセルのサービング基地局によって送信された当該第１のセルの容量情報を受信し、当該第２のセルの特定のリソースで当該第２のセルのサービング基地局により使用される送信電力を当該第１のセルの容量情報に従って決定する。その結果、当該第１のセルの当該平均容量が特定の容量閾値より大きく、したがって当該第１のセルの容量が保証される。
【００２５】
任意の実施形態として、上述の実施形態がさらに、１０２で、当該電力決定装置が当該第２のセルの容量情報を取得するステップであって、当該第２のセルの容量情報は当該第２のセルの特定のリソースで当該第２のセルのサービング基地局により事前設定された送信電力に対応するステップを含んでもよい。
【００２６】
上の１０１および１０２を同時に実行してもよく、これらの２つのステップの実行順序は限定されない。この場合、上の１０３は次のようであってもよい。即ち、１０３’では、電力決定装置が、当該第２のセルの特定のリソースで当該第２のセルのサービング基地局により使用される送信電力を当該第１のセルの容量情報と当該第２のセルの容量情報に従って決定する。上述の任意の実施形態では、第１のセルと第２のセルの総容量の最大化を保証することができる。
【００２７】
実装の過程において、上述の任意の実施形態の方法は、特に、第１の基地局が当該第１のセルの容量情報を第２の基地局または制御ノードに送信するステップであって、当該第１のセルの容量情報は当該第２のセルの特定のリソースで第２の基地局により事前設定された送信電力に対応するステップと、当該第１のセルの容量情報を受信した後に、第２の基地局または制御ノードが当該第２のセルの容量情報を取得するステップであって、当該第２のセルの容量情報も当該第２のセルの特定のリソースで第２の基地局により事前設定された送信電力に対応するステップと、その後に、第２の基地局または制御ノードが、当該第２のセルの特定のリソースで第２の基地局が使用する送信電力を当該第１のセルの容量情報と当該第２のセルの容量情報に従って決定し、第１のセルと第２のセルの総容量を最大化できることを保証するステップと、を含む。
【００２８】
本発明の１実施形態では、制御ノード（Ｃｏｎｔｏｌ  Ｎｏｄｅ）には、コアネットワークにおける可動性管理エンティティ（Ｍｏｂｉｌｉｔｙ  Ｍａｎａｇｅｍｅｎｔ  Ｅｎｔｉｔｙ、ＭＭＥ）、ネットワーク管理ノードＯＡＭ（Ｏｐｅｒａｔｉｏｎ、Ａｄｍｉｎｉｓｔｒａｔｉｏｎ、Ｍａｉｎｔｅｎａｎｃｅ）、または運用支援システム（Ｏｐｅｒａｔｉｏｎ  Ｓｕｐｐｏｒｔ  Ｓｙｓｔｅｍ、ＯＳＳ）が含まれるがこれらに限られない。本発明の１実施形態では、当該制御ノードが、当該第１の基地局および当該第２の基地局とは異なる基地局であってもよい。
【００２９】
本発明の１実施形態では、特定のリソースが、時間領域リソース、周波数領域リソースおよび空間領域リソースのうち１つまたは複数を含んでもよい。当該時間領域リソース、周波数領域リソースまたは空間領域リソースには、単一のキャリア、１組のキャリア、単一の略ブランクサブフレーム（ＡＢＳ（ａｌｍｏｓｔ  ｂｌａｎｋ  ｓｕｂｆｒａｍｅ））、１組のＡＢＳ、単一の物理リソース・ブロック、１組の物理リソース・ブロック、単一のビームまたは１組のビームを含めてもよいがこれらに限られない。
【００３０】
本発明の１実施形態では、特定のリソース上の送信電力は一般に８個の任意の段階値を有し、特に、事前構成パラメータＰａおよびＰｂにより決まる。Ｐｂは、セルに対して設定され（セル固有）、Ｐａはセル内のユーザ機器に対して設定される（ＵＥ固有）。特に、特定のリソースでの送信電力の構成パラメータの構成は以下のようであってもよい。
PDSCH-ConfigCommon：：=SEQUENCE{
referenceSignalpower INTEGER(-60..50),
p-b                       INTEGER (0..3)       //構成パラメータPbの構成
}
PDSCH-ConfigDedicated::=SEQUENCE{
p-a           ENUMERATED{
db-6,db-4dot77,db-3,db-1dot77,                 db0,db1,db2,db3}        //構成パラメータPaの構成、合計で８段階値
}
【００３１】
拡張内部セル干渉調整（ｅｎｈａｎｃｅｄ  Ｉｎｔｅｒ−ｃｅｌｌ  ｉｎｔｅｒｆｅｒｎｃｅ  Ｃｏｏｒｄｉｎａｔｉｏｎ、ｅＩＣＩＣ）機構の適用シナリオに対しては、当該特定のリソースは単一のＡＢＳサブフレームまたは１組のＡＢＳサブフレームである。特に、当該特定のリソースとして、単一のＡＢＳまたは１組のＡＢＳサブフレームは第２の基地局により事前設定される。例えば、第２の基地局はＡＢＳサブフレームまたは１組のサブフレームをＡＢＳサブフレーム（複数可）として指定し、ＡＢＳサブフレーム（複数可）の設定条件をＡＢＳサブフレームのパターンにより特定してもよい。
【００３２】
本発明の１実施形態では、ＡＢＳサブフレームのパターン（ＡＢＳパターン）ｆ（ｍ）により、当該第２の基地局が設定したＡＢＳサブフレームの数のサブフレームの全数に対する比率を特定する。例えば、当該ＡＢＳサブフレームのパターンはパターン１／８、２／８、３／２０等を含み、パターン１／８は、８個のサブフレームのうち１つが攻撃セルの基地局によりＡＢＳサブフレームとして設定されることを示し、パターン２／８は８個のサブフレームのうち２つが攻撃セルの基地局によりＡＢＳサブフレームとして設定されることを示し、同様に、パターン３／２０は、２０個のサブフレームのうち３つが攻撃セルの基地局によりＡＢＳサブフレームとして設定されることを示す。特に、ＡＢＳサブフレームの設定条件は以下のように示される。
FDD パターン;
(1/8,1,ABS)   [10000000,……]    // ABSサブフレームは１で、非ABSサブフレームは0で示される
(2/8,2,ABS)   [11000000,……]    // ABSサブフレームは１で、非ABSサブフレームは0で示される
(3/20,1,MBSF) [1000010000 1000000000]   // ABSサブフレームは１で、非ABSサブフレームは0で示される
【００３３】
次に、第１のセルと第２のセルの総容量を最大化できることを保証するために、単一のＡＢＳまたは１組のＡＢＳで当該第２の基地局により使用される送信電力を決定することが必要である。特に図２を参照すると、送信電力を決定するための方法が以下の内容を含む。２０１では、第１の基地局が第２のセルを決定する。
【００３４】
特に、当該第１の基地局は、当該第１のセルがサービスするユーザ機器が報告した隣接セルの各々の測定情報に従って第２のセルを決定する。当該測定情報には、参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）またはチャネル品質識別子（Ｃｈａｎｎｅｌ  Ｑｕａｌｉｔｙ  Ｉｎｄｉｃａｔｏｒ、ＣＱＩ）を含めてもよいがこれらに限られない。
【００３５】
本発明の１実施形態の実装形態では、当該第１の基地局は、隣接セルの各々のＲＳＲＰを測定するように当該第１のセルがサービスするユーザ機器を構成し、当該第１の基地局が当該第１のセルがサービスするユーザ機器により報告された隣接セルの各々のＲＳＲＰを受信し、当該第１の基地局が当該第１のセルがサービスするユーザ機器により報告された同一の隣接セルのＲＳＲＰを平均して、隣接セルの各々の平均ＲＳＲＰを取得し、最大平均ＲＳＲＰを有する隣接セルを第２のセルとする。
【００３６】
さらに、本発明の１実施形態の実装形態では、当該第１の基地局が、隣接セルのＣＱＩを測定するように当該第１のセルがサービスするユーザ機器を構成してもよく、当該第１の基地局が隣接セルの各々の平均ＲＳＲＰを計算するとき、当該第１の基地局が、チャネル品質識別子（Ｃｈａｎｎｅｌ  Ｑｕａｌｉｔｙ  Ｉｎｄｉｃａｔｏｒ、ＣＱＩ）が第１の所定値より小さい当該第１のセルがサービスするユーザ機器が報告した同一の隣接セルのＲＳＲＰを平均して、隣接セルの各々の平均ＲＳＲＰを取得し、第２のセルを決定する際の計算を減らし効率を高めてもよい。
【００３７】
あるいは、本発明の１実施形態の実装形態では、当該第１の基地局が隣接セルの各々のＲＳＲＰを測定するように当該第１のセルがサービスするユーザ機器を構成し、当該第１の基地局が、当該第１のセルがサービスするユーザ機器が報告した第２の所定値よりＲＳＲＰが大きい隣接セルを受信し、当該第１の基地局が、当該第１のセルがサービスするユーザ機器が報告した隣接セルの各々の発生確率に対して統計処理を行い、発生確率が最大の隣接セルを第２のセルとする。
【００３８】
さらに、本発明の１実施形態の実装形態では、当該第１の基地局を、隣接セルの各々のＣＱＩを測定するように当該第１のセルがサービスするユーザ機器を構成してもよく、当該第１の基地局が隣接セルの各々の発生回数を統計処理するときには、当該第１の基地局が、ＣＱＩが第１の所定値より小さい当該第１のセルがサービスするユーザ機器が報告した隣接セルの発生回数のみを統計処理して、第２のセルを決定する計算を減らし効率を高めてもよい。
【００３９】
勿論、本発明の１実施形態の実装形態では、当該第１の基地局が、隣接セルのＣＱＩを測定し報告するように当該第１のセルがサービスするユーザ機器を構成し、ユーザ機器が報告したＣＱＩに従って第２のセルを決定してもよい。当該決定方式は、当該第１のセルがサービスするユーザ機器が報告したＲＳＲＰに従って第２のセルを決定する方法と同じであり、したがってここでは冗長に説明することはしない。
【００４０】
２０２で、当該第１の基地局が当該第２のセルの特定のリソースで当該第２の基地局により事前設定された送信電力に対応する当該第１のセルの容量情報を計算する。当該容量情報には、容量または周波数スペクトル効率を含めてもよいがこれらに限られない。
【００４１】
本発明の１実施形態では、当該第２のセルの特定のリソースで第２の基地局により事前設定された送信電力が、Ｘ２インタフェースが第１の基地局と第２の基地局の間で確立されているときに、Ｘ２インタフェースを通じて当該第１の基地局と当該第２の基地局により事前に交渉された当該第２のセルの特定のリソース上の第２の基地局の送信電力であってもよい。
【００４２】
さらに、本発明の１実施形態では、当該第２のセルの特定のリソースで第２の基地局により事前設定された送信電力が、第１の基地局により設定された当該第２のセルの特定のリソース上の第２の基地局の送信電力であってもよい。
【００４３】
特に、当該第２のセルの特定のリソースで第２の基地局により事前設定された送信電力に対応する第１の基地局が当該第１のセルの容量情報を計算することは、当該第２のセルの特定のリソースで第２の基地局により事前設定された送信電力に対応する当該第１のセルの容量情報を当該第１のセルがサービスするユーザ機器が報告した現在のセルおよび隣接セルの測定情報に従って計算するステップを含んでもよい。当該測定情報が、ＲＳＲＰまたはＣＱＩを含んでもよいがこれらに限られない。
【００４４】
本発明の１実施形態では、当該第２のセルの特定のリソースで第２の基地局により事前設定された複数の送信電力が存在するときには、当該第２のセルの特定のリソースで当該第２の基地局により事前設定された送信電力と１対１に対応する当該第１のセルの複数の容量情報も存在する。
【００４５】
本発明の１実施形態の実装形態では、当該第１のセルの容量情報が第１のセルの容量である場合には、当該第１の基地局が、当該第２のセルの特定のリソースで当該第２の基地局により事前設定された複数の送信電力と１対１に対応する当該第１のセルの容量情報を、以下の計算方式を用いることによって、当該第１のセルがサービスするユーザ機器が報告した現在のセルおよび隣接セルの測定情報に従って計算してもよい。
【００４６】
方式１：当該第１の基地局が、当該第１のセルの特定のリソースで当該第１のセルがサービスするユーザ機器の各々をそれぞれラウンド・ロビン（Ｒｏｕｎｄ  Ｒｏｂｉｎ、ＲＲ）スケジュール方式でスケジュールし、当該特定のリソースが単一のＡＢＳまたは１組のＡＢＳである場合には、当該第２のセルの特定のリソースで当該第２の基地局で事前設定された複数の送信電力の各々を現在の電力とする。次いで、特に、当該第１のセルの特定のリソースでスケジュールされたユーザ機器の各々が取得した容量を、当該第１のセルがサービスするユーザ機器の各々が報告した現在のセルおよび当該隣接セルの測定情報に従って計算し、現在の電力に対応する当該第１のセルの容量を当該第１のセルの特定のリソースでスケジュールされたユーザ機器の各々が取得した容量に従って計算するステップを含めて、現在の電力に対応する当該第１のセルの容量を計算する。
【００４７】
任意の実施形態では、ＲＳＲＰである測定情報を１例とすると、当該特定のリソースでスケジュールされたユーザ機器の各々により取得された容量を計算するステップが、以下を含む。
【００４８】
当該第１のセルがサービスするユーザ機器ＵＥｎが当該第１のセルの特定のリソースでスケジュールされるとき、即ち、当該第１の基地局が当該第１のセルにおける当該特定のリソースを用いることによってダウンリンク信号をＵＥｎに送信するとき、任意の実施形態として、以下の式１を使用して、当該第１のセルの特定のリソースでスケジュールされたＵＥｎが取得した容量を計算してもよい。
【００４９】
【数２】
0005935197.tif 000003
【００５０】
式１の全ての項目を説明する前に、ステップ２０１で決定した第２のセルは第１のセルの強い攻撃セルであり、実装においては、当該第２のセルからの強い干渉に加えて、当該第１のセルが他のセルと弱く干渉することもあることに留意されたい。ここで、当該第１のセルと干渉する当該第２のセル以外のセルを第３のセルと称する。本発明の１実施形態では、当該第１のセルの容量をさらに保証するために、当該第２のセルからの強い干渉を考慮すること以外に、当該第３のセルからの干渉も考慮する。
【００５１】
さらに、当該第２のセルの特定のリソースで第２の基地局により事前設定された送信電力に対応する当該第１のセルの容量情報を第１の基地局が計算する前に、当該第１の基地局が、当該第２の基地局が設定したＡＢＳサブフレームに関する情報を取得し、当該第３のセルの各セルのサービング基地局が設定したＡＢＳサブフレームに関する情報をそれぞれ取得する。当該ＡＢＳサブフレームに関する情報には、ＡＢＳサブフレームのパターンが含まれるがこれに限られない。
【００５２】
特に、当該第１の基地局が、当該第２の基地局と確立したＸ２インタフェースを通じて当該第２の基地局により送信されたＡＢＳサブフレームに関する情報（ＡＢＳ情報）を受信し、それらの間で確立された当該Ｘ２インタフェースを通じて当該第３のセルの各セルのサービング基地局により送信されたＡＢＳサブフレームに関する情報を受信する。
【００５３】
以降、式１の全ての項目を詳細に説明する。特に、
【００５４】
【数３】
0005935197.tif 000004
【００５５】
は、当該第１のセルの特定のリソースでスケジュールされたＵＥｎにより取得された容量であり、ＲＳＲＰｉはＵＥｎが報告した現在のセル（即ち当該第１のセル）のＲＳＲＰであり、ＲＳＲＰｋは隣接セル、特に、ＵＥｎが報告した当該第３のセルのｋ番目のセルのＲＳＲＰであり、ＲＳＲＰｍは当該隣接セル、特に、ＵＥｎが報告した当該第２のセルのＲＳＲＰであり、Ｘｋは、ｋ番目のセルの特定のリソースで当該第３のセルのｋ番目のセルのサービング基地局が使用する送信電力の、当該サービング基地局が送信した参照信号（Ｒｅｆｅｒｅｎｃｅ  Ｓｉｇｎａｌ、ＲＳ）の送信電力に対する比率である。
【００５６】
本発明の１実施形態では、当該第１の基地局が、当該第２の基地局が設定した当該特定のリソースがｋ番目のセルのサービング基地局が設定したＡＢＳサブフレームであるかどうかを、当該第２の基地局が設定した過去に取得したＡＢＳサブフレーム情報およびｋ番目のセルのサービング基地局が設定したＡＢＳサブフレーム情報に従って判定する。
【００５７】
当該第２の基地局が設定した特定のリソースがｋ番目のセルのサービング基地局が設定したＡＢＳサブフレームでない場合には、Ｘｋ＝１である。
【００５８】
当該第２の基地局が設定した特定のリソースがｋ番目のセルのサービング基地局が設定したＡＢＳサブフレームである場合には、当該第１の基地局が、ｋ番目のセルのサービング基地局と確立されているＸ２インタフェースを通じてｋ番目のセルのサービング基地局により送信されたＸｋを受信してもよい。
【００５９】
式１のＸは、当該第２の基地局がＲＳを送信した送信電力に対する現在の電力の比率である。当該現在の電力は、上述の送信電力の構成可能な８つの段階値の１つである。
【００６０】
式１に従って当該第１のセルの特定のリソースでスケジュールされた当該第１のセルがサービスするユーザ機器の各々が取得した容量を計算した後、当該第１の基地局は当該第１のセルの特定のリソースでユーザ機器の各々が取得した容量を加算して平均値を取得し、現在の電力に対応する当該第１のセルの容量を取得する。任意の実施形態では、特に、以下の式２を使用して現在の電力に対応する当該第１のセルの容量を計算してもよい。
【００６１】
【数４】
0005935197.tif 000005
【００６２】
式２では、
【００６３】
【数５】
0005935197.tif 000006
【００６４】
は現在の電力に対応する当該第１のセルの容量であり、Ｎは当該第１のセルがサービスするユーザ機器の全数であり、当該基地局がサービスするユーザ機器が当該基地局に登録されているので、当該第１の基地局は当該第１のセルがサービスするユーザ機器の全数を認識することができる。
【００６５】
【数６】
0005935197.tif 000007
【００６６】
は、当該第１のセルの特定のリソースでスケジュールされた当該第１のセルがサービスするユーザ機器により取得された当該第１のセルの容量である。
【００６７】
当該実施形態の実装形態では、当該測定情報がＣＱＩであるとき、当該第２のセルの特定のリソースで第２の基地局により事前設定された送信電力に対応する当該第１のセルの容量情報を計算するための方法は、当該第１のセルの特定のリソースで当該第１のセルがサービスするユーザ機器が報告したＣＱＩに従って、報告されたＣＱＩに対応する周波数スペクトル効率を直接取得するステップと、全てのユーザ機器が報告したＣＱＩに対応する周波数スペクトルを処理、例えば、平均化、重み付け平均化等をして、当該第１のセルの処理された周波数スペクトル効率を取得して、当該周波数スペクトル効率を、当該第２のセルの特定のリソースで第２の基地局により事前設定された送信電力に対応する当該第１のセルの容量情報とするステップとを含む。
【００６８】
方式２：当該第１の基地局が当該第１のセルの特定のリソースまたは不特定のリソースで当該第１のセルがサービスするユーザ機器をラウンド・ロビン（Ｒｏｕｎｄ  Ｒｏｂｉｎ、ＲＲ）スケジュール方式でスケジュールし、特定のリソースが単一のＡＢＳまたは１組のＡＢＳであり、当該不特定のリソースが単一の非ＡＢＳまたは１組の非ＡＢＳである場合には、当該第２のセルの特定のリソースで当該第２の基地局によって事前設定された複数の送信電力の値の各々を現在の電力とする。次いで、特に、当該第１のセルの特定のリソースでスケジュールされたユーザ機器の各々により当該第１のセルの特定のリソースで取得された容量を、当該第１のセルの特定のリソースでスケジュールされたユーザ機器の各々が報告した現在のセルと当該隣接セルの測定情報に従って計算するステップと、当該第１のセルの不特定のリソースでスケジュールされたユーザ機器の各々によって当該第１のセルの不特定のリソースで取得された容量を、当該第１のセルの不特定のリソースでスケジュールされたユーザ機器の各々が報告した現在のセルと当該隣接セルの測定情報に従って計算するステップと、現在の電力に対応する当該第１のセルの容量を、当該第１のセルの特定のリソースでスケジュールされたユーザ機器の各々により当該第１のセルの特定のリソースで取得された容量および当該第１のセルの不特定のリソースでスケジュールされたユーザ機器の各々により当該第１のセルの不特定のリソースで取得された容量に従って計算するステップとを含めて、現在の電力に対応する当該第１のセルの容量を計算する。
【００６９】
任意の実施形態では、ＲＳＲＰである測定情報を１例として、当該第１のセルの特定のリソースでスケジュールされたユーザ機器の各々により当該第１のセルの特定のリソースで取得された容量が計算される計算方式については式１を参照することができ、したがってここでは冗長に説明することはしない。
【００７０】
別の任意の実施形態では、ＲＳＲＰである測定情報を１例として、以下の式３を使用して、当該第１のセルの不特定のリソースでスケジュールされたユーザ機器の各々により当該第１のセルの不特定のリソースで取得された容量を計算してもよい。
【００７１】
【数７】
0005935197.tif 000008
【００７２】
式３では、
【００７３】
【数８】
0005935197.tif 000009
【００７４】
は、当該第１のセルの不特定のリソースでスケジュールされたＵＥｎにより当該不特定のリソースで取得された容量であり、ＲＳＲＰｉは、当該第１のセルの不特定のリソースでスケジュールされたユーザ機器により報告された現在のセル、即ち当該第１のセルのＲＳＲＰであり、ＲＳＲＰｋは、当該第１のセルの不特定のリソースでスケジュールされたユーザ機器により報告された当該隣接セル、特に、当該第３のセルのｋ番目のセルのＲＳＲＰである。
【００７５】
任意の実施形態では、当該第１の基地局が、以下の式４を用いることによって、式１と式２で計算した当該第１のセルの特定のリソースでスケジュールされたユーザ機器の各々により当該第１のセルの特定のリソースで取得されたセル容量と、当該第１のセルの不特定のリソースでスケジュールされたユーザ機器の各々により当該第１のセルの不特定のリソースで取得されたセル容量を処理して、現在の送信電力に対応する当該第１のセルの容量を取得してもよい。
【００７６】
【数９】
0005935197.tif 000010
【００７７】
式４では、
【００７８】
【数１０】
0005935197.tif 000011
【００７９】
は現在の電力に対応する当該第１のセルの容量であり、
【００８０】
【数１１】
0005935197.tif 000012
【００８１】
は、当該第１のセルの特定のリソースでスケジュールされたユーザ機器により当該第１のセルの特定のリソースで取得された容量であり、
【００８２】
【数１２】
0005935197.tif 000013
【００８３】
は、当該第１のセルの不特定のリソースでスケジュールされたユーザ機器により当該第１のセルの不特定のリソースで取得された容量であり、Ｎは、当該第１の基地局がサービスするユーザ機器の全数である。当該基地局がサービスするユーザ機器が当該基地局に登録されているので、当該第１の基地局は当該第１のセルがサービスするユーザ機器の全数を認識することができる。式４のｆ（ｍ）は、当該第２の基地局が設定したＡＢＳパターンである。
【００８４】
当該実施形態の実装形態では、当該測定情報がＣＱＩであるとき、第２のセルの特定のリソースで事前設定された送信電力に対応する第１のセルの容量情報を第２の基地局により計算する方法は、報告されたＣＱＩに対応する周波数スペクトル効率を、当該第１のセルの特定のリソースで当該第１のセルがサービスするユーザ機器により報告されたＣＱＩに従って直接取得するステップと、全てのユーザ機器が報告したＣＱＩに対応する周波数スペクトルを処理、例えば、平均化し、重み付け平均化等して、当該第１のセルの処理された周波数スペクトル効率を取得するステップと、当該周波数スペクトル効率を、当該第２のセルの特定のリソースで第２の基地局により事前設定された送信電力に対応する当該第１のセルの容量情報とするステップとを含む。
【００８５】
方式３：第１の基地局がセル範囲拡張（Ｃｅｌｌ  Ｒａｎｇｅ  Ｅｘｔｅｎｓｉｏｎ、ＣＲＥ）領域に配置されたユーザ機器を第１のセルの特定のリソースでＲＲスケジューリング方式によりスケジュールし、他の領域のユーザ機器を当該第１のセルの不特定のリソースでＲＲ方式によりスケジュールし、特定のリソースが単一のＡＢＳまたは１組のＡＢＳであり、当該不特定のリソースが単一の非ＡＢＳまたは１組の非ＡＢＳである場合には、当該第２のセルの特定のリソースで当該第２の基地局で事前設定された複数の送信電力の各々を現在の電力とする。次いで、特に、当該第１のセルの特定のリソースでスケジュールされたユーザ機器の各々により当該第１のセルの特定のリソースで取得された容量を、当該第１のセルの特定のリソースでスケジュールされたユーザ機器の各々が報告した現在のセルと当該隣接セルの測定情報に従って計算するステップと、当該第１のセルの不特定のリソースでスケジュールされたユーザ機器の各々による当該第１のセルの不特定のリソースで取得された容量を、当該第１のセルの不特定のリソースでスケジュールされたユーザ機器の各々が報告した現在のセルと当該隣接セルの測定情報に従って計算するステップと、現在の電力に対応する当該第１のセルの容量を、当該第１のセルの特定のリソースでスケジュールされたユーザ機器の各々により当該第１のセルの特定のリソースで取得された容量および当該第１のセルの不特定のリソースでスケジュールされたユーザ機器の各々による当該第１のセルの不特定のリソースで取得された容量に従って計算するステップとを含めて、現在の電力に対応する当該第１のセルの容量を計算する。
【００８６】
任意の実施形態として、ＲＳＲＰである測定情報を１例として、当該第１のセルの特定のリソースでスケジュールされたユーザ機器の各々により当該第１のセルの特定のリソースで取得された容量が計算される計算方式については式１を参照することができ、したがってここでは冗長に説明することはしない。
【００８７】
別の任意の実施形態として、ＲＳＲＰである測定情報を１例として、当該第１のセルの不特定のリソースでスケジュールされたユーザ機器の各々により当該第１のセルの不特定のリソースで取得した容量を計算する計算方式については式３を参照することができ、したがってここでは冗長に説明することはしない。
【００８８】
任意の実施形態では、当該第１の基地局が、以下の式５を用いて、当該第１のセルの特定のリソースでスケジュールされたユーザ機器の各々により当該第１のセルの特定のリソースで取得された容量および当該第１のセルの不特定のリソースでスケジュールされたユーザ機器の各々による当該第１のセルの不特定のリソースで取得された容量を処理して、現在の電力に対応する当該第１のセルの容量を取得してもよい。
【００８９】
【数１３】
0005935197.tif 000014
【００９０】
式５では、
【００９１】
【数１４】
0005935197.tif 000015
【００９２】
は現在の電力に対応する当該第１のセルの容量であり、
【００９３】
【数１５】
0005935197.tif 000016
【００９４】
は、当該第１のセルの特定のリソースでスケジュールされたユーザ機器により当該第１のセルの特定のリソースで取得された容量であり、
【００９５】
【数１６】
0005935197.tif 000017
【００９６】
は、当該第１のセルの不特定のリソースでスケジュールされたユーザ機器により当該第１のセルの不特定のリソースで取得された容量であり、Ｎは当該第１の基地局がサービスするユーザ機器の全数である。当該基地局がサービスするユーザ機器は当該基地局に登録されているので、当該第１の基地局は当該第１のセルがサービスするユーザ機器の全数を認識することができる。ｆ（ｍ）は当該第２の基地局が設定したＡＢＳパターンであり、Ｌは、当該第１のセルのＣＲＥ拡張領域に配置されたユーザ機器の数である。
【００９７】
当該実施形態の実装形態では、当該測定情報がＣＱＩであるとき、当該第２の基地局により当該第２のセルの特定のリソースで事前設定された送信電力に対応する当該第１のセルの容量情報を計算するための方法は、報告されたＣＱＩに対応する周波数スペクトル効率を、当該第１のセルの特定のリソース上の当該第１のセルがサービスするユーザ機器により報告されたＣＱＩに従って直接取得するステップと、全てのユーザ機器が報告したＣＱＩに対応する周波数スペクトル効率を処理、例えば平均化、重み付け平均化等して、当該第１のセルの処理された周波数スペクトル効率を取得するステップと、当該周波数スペクトル効率を、当該第２のセルの特定のリソースで第２の基地局により事前設定された送信電力に対応する当該第１のセルの容量情報とするステップとを含む。
【００９８】
２０３で、当該第１の基地局が、当該第２のセルの特定のリソースで第２の基地局により事前設定された送信電力に対応する当該第１のセルの容量情報を電力決定装置に送信する。
【００９９】
本発明の１実施形態では、特に、当該電力決定装置が第２の基地局または制御ノードであってもよい。
【０１００】
第１の基地局および当該電力決定装置が当該第２のセルの特定のリソースで第２の基地局により事前設定された送信電力を事前に交渉したシナリオに対して、当該第１の基地局は計算された当該第１のセルの容量情報のみを電力決定装置に送信する。
【０１０１】
第１の基地局と当該電力決定装置が当該第２のセルの特定のリソースで第２の基地局により事前設定された送信電力を事前に交渉していないシナリオに対しては、当該第１の基地局が当該第２のセルの特定のリソースで第２の基地局により事前設定された送信電力に対応する当該第１のセルの容量情報を当該電力決定装置に送信するとき、当該第１の基地局はさらに当該第１のセルの容量情報に対応する当該第２のセルの特定のリソースで第２の基地局により事前設定された送信電力に関する情報を当該電力決定装置に送信する。
【０１０２】
当該第２のセルの特定のリソースで第２の基地局により事前設定された送信電力に関する情報が特に、当該第２のセルの特定のリソースで第２の基地局により事前設定された送信電力または当該第２のセルの特定のリソースで第２の基地局により事前設定された送信電力を含んでもよいがこれらに限られない。
【０１０３】
本発明の１実施形態では、当該電力決定装置が制御ノードである場合には、当該第１のセルの容量情報を当該制御ノードに送信するとき、当該第１の基地局は当該第２の基地局の識別子も当該制御ノードに送信し、受信した識別子で特定される当該第２の基地局が使用する送信電力を当該制御ノードが当該第２のセルの特定のリソースで決定できるようにする。
【０１０４】
本発明の１実施形態の具体的な実装では、当該電力決定装置が第２の基地局である場合に、当該第１の基地局は当該第１のセルの容量情報および／または当該第１のセルの容量情報に対応する当該第２のセルの特定のリソースで第２の基地局により事前設定された送信電力に関する情報を当該第２の基地局に、当該第２の基地局と確立したＸ２インタフェースを通じて送信する。
【０１０５】
当該電力決定装置が制御ノードである場合、例えば、当該制御ノードがＭＭＥである場合、当該第１の基地局は当該第１のセルの容量情報および／または当該第１のセルの容量情報に対応する当該第２のセルの特定のリソースで第２の基地局により事前設定された送信電力に関する情報を当該制御ノードに、ＭＭＥと確立したＳ１インタフェースを介して送信し、当該制御ノードがＯＡＭである場合には、当該第１の基地局は当該第１のセルの容量情報および／または当該第１のセルの容量情報に対応する当該第２のセルの特定のリソースで第２の基地局により事前設定された送信電力に関する情報を当該制御ノードに、ＯＡＭと確立されたを介して南向きインタフェースＩｔｆ−Ｓを介して送信する。
【０１０６】
２０４では、当該第１の基地局が送信した当該第１のセルの容量情報を受信した後に、当該電力決定装置が当該第２のセルの容量情報を取得し、当該第２のセルの容量情報は、当該第２のセルの特定のリソースで第２の基地局により事前設定された送信電力に対応する。
【０１０７】
特に、当該第２のセルの容量情報を取得するステップが、当該電力決定装置が第２の基地局である場合に、当該第１の基地局と当該電力決定装置が当該第２のセルの特定のリソースで第２の基地局により事前設定された送信電力と事前交渉したシナリオに対して、当該第２のセルの特定のリソースで第２の基地局により事前設定された送信電力に対応する第２の基地局が当該第２のセルの容量情報を、当該第２のセルの特定のリソースで事前設定された送信電力および当該第２のセルがサービスするユーザ機器が報告した現在のセルと隣接セルの測定情報に従って計算するステップを含んでもよい。当該シナリオでは、当該第２のセルの特定のリソースで第２の基地局により事前設定された送信電力は、第１の基地局および当該第２の基地局により事前に交渉された当該第２のセルの特定のリソースで第２の基地局の送信電力である。
【０１０８】
当該電力決定装置が第２の基地局である場合には、当該第１の基地局と当該電力決定装置が当該第２のセルの特定のリソースで第２の基地局により事前設定された送信電力と事前交渉していないシナリオに対して、当該第２の基地局は第１の基地局により送信された当該第１のセルの容量情報に対応する当該第２のセルの特定のリソースで第２の基地局により事前設定された送信電力に関する情報を受信し、第２の基地局が当該第２のセルの特定のリソースで第２の基地局により事前設定された送信電力に対応する当該第２のセルの容量情報を、当該第２のセルの特定のリソースで事前設定された送信電力と当該第２のセルがサービスするユーザ機器が報告した現在のセルと隣接セルの測定情報に従って計算する。当該シナリオでは、当該第２のセルの特定のリソースで第２の基地局により事前設定された送信電力は、当該第１のセルの容量情報に対応する当該第２のセルの特定のリソースで第２の基地局により事前設定された送信電力に関する情報に対応する受信された電力である。
【０１０９】
本発明の１実施形態では、第２の基地局が当該第２のセルの容量情報を計算するプロセスが、第１の基地局が当該第１のセルの容量情報を計算するステップ２０２のプロセスを参照してもよく、したがってここでは冗長に説明することはしない。
【０１１０】
当該電力決定装置が制御ノードである場合には、当該制御ノードが、第２の基地局が送信した第２のセルの容量情報を受信する。
【０１１１】
当該電力決定装置が制御ノードである場合には、当該第１の基地局と当該電力決定装置が当該第２のセルの特定のリソースで第２の基地局により事前設定された送信電力と事前交渉していないシナリオに対して、当該制御ノードが第２の基地局が送信した第２のセルの容量情報を受信するとき、当該制御ノードはさらに、当該第２の基地局により送信された当該第２のセルの容量情報に対応する当該第２のセルの特定のリソースで第２の基地局により事前設定された送信電力に関する情報を受信する。
【０１１２】
２０５で、電力決定装置が、当該第２のセルの特定のリソースで第２の基地局が使用する電力を、当該第１のセルの容量情報と当該第２のセルの容量情報に従って決定する。
【０１１３】
本発明の１実施形態の実装形態では、当該第２のセルの特定のリソースで第２の基地局により事前設定された複数の送信電力が存在する場合には、当該第２のセルの特定のリソースで当該第２の基地局により事前設定された送信電力と１対１に対応する当該第１のセルの複数の容量情報が存在し、当該第２のセルの特定のリソースで当該第２の基地局により事前設定された送信電力と１対１に対応する当該第２のセルの複数の容量情報が存在する。
【０１１４】
次に、該第２のセルの特定のリソースで第２の基地局が使用する電力を当該第１のセルの容量情報と当該第２のセルの容量情報に従って決定するステップは、当該第１のセルと当該第２のセルの総容量情報を当該第１のセルの容量情報と当該第２のセルの容量情報に従って計算するステップであって、当該第２のセルの特定のリソースで当該第２の基地局により事前設定された送信電力に対応する複数の総容量情報が存在するステップと、計算した複数の総容量情報から最大総容量情報を選択するステップと、当該最大総容量情報に対応する電力を当該第２のセルの特定のリソースで第２の基地局が使用する電力とするステップと、を含む。
【０１１５】
当該第１の基地局と当該電力決定装置（例えば、当該第２の基地局）が当該第２のセルの特定のリソースで第２の基地局により事前設定された送信電力を事前に交渉したシナリオに対しては、１例を挙げてステップ２０２乃至２０４を説明する。
【０１１６】
当該第１の基地局は、当該第２のセルの特定のリソースで当該第２の基地局により事前設定された送信電力Ｐ１、Ｐ２、Ｐ３、およびＰ４と１対１に対応する当該第１のセルの容量Ｃ１、Ｃ２、Ｃ３およびＣ４を計算する。
【０１１７】
当該第２の基地局は、当該第２のセルの特定のリソースで当該第２の基地局により事前設定された送信電力Ｐ１、Ｐ２、Ｐ３、およびＰ４と１対１に対応する当該第２のセルＣ１’、Ｃ２’、Ｃ３’およびＣ４’の容量を計算する。
【０１１８】
当該第２の基地局は、当該第２のセルの特定のリソースで当該第２の基地局により事前設定された送信電力Ｐ１、Ｐ２、Ｐ３、およびＰ４と１対１に対応する当該第１のセルおよび第２のセルＣ１＋Ｃ１’、Ｃ２＋Ｃ２’、Ｃ３＋Ｃ３’およびＣ４＋Ｃ４’の総容量を計算する。
【０１１９】
当該第２の基地局は、当該最大総容量をＣ１＋Ｃ１’、Ｃ２＋Ｃ２’、Ｃ３＋Ｃ３’およびＣ４＋Ｃ４’から選択し、例えばＣ４＋Ｃ４’を選択した場合には、対応する電力Ｐ４が、当該第２の基地局が特定のリソースで使用する送信電力であるはずである。
【０１２０】
さらに、本発明の１実施形態では、当該第２のセルは、干渉源として複数の異なる第１のセルと強く干渉してもよい。すると、上の説明に基づいて、当該第１の基地局の各々が、当該第２のセルの特定のリソースで第２の基地局により事前設定された送信電力に対応する当該第１のセルの容量情報を当該電力決定装置に送信することが分かる。このように、当該電力決定装置は当該第１のセルの複数の容量情報を受信する。その後、当該電力決定装置が、当該第２のセルの容量情報と、当該第２のセルの特定のリソースで第２の基地局により事前設定された送信電力に対応する当該第２のセルの容量情報を取得し、当該第２のセルの特定のリソースで第２の基地局の送信電力を、当該第１のセルの当該複数の受信容量情報と取得した当該第２のセルの容量情報に従って決定する。
【０１２１】
特に、当該電力決定装置が、当該第２のセルの特定のリソースで第２の基地局の送信電力を、当該第１のセルの当該複数の受信容量情報と取得した当該第２のセルの容量情報に従って決定する。即ち、当該電力決定装置は、複数の第１のセルの総容量情報を当該第１のセルの複数の受信容量情報に従って決定する。当該電力決定装置は、複数の第１のセルと第２のセルの総容量情報を複数の第１のセルの総容量情報および当該第２のセルの容量情報に従って計算する。当該第２のセルの特定のリソースで第２の基地局により事前設定された複数の送信電力が存在し、当該第２のセルの特定のリソースで当該第２の基地局により事前設定された送信電力と１対１に対応する当該第１のセルの複数の容量情報が存在し、当該第２のセルの特定のリソースで当該第２の基地局により事前設定された送信電力と１対１に対応する当該第２のセルの複数の容量情報が存在し、当該第２のセルの特定のリソースで当該第２の基地局により事前設定された送信電力と１対１に対応する複数の第１のセルの複数の総容量情報が存在し、当該第２のセルの特定のリソースで当該第２の基地局により事前設定された送信電力と１対１に対応する複数の第１のセルと当該第２のセルの複数の総容量情報が存在するときには、総容量情報の最大値が複数の総容量情報から選択され、当該最大総容量情報に対応する電力が当該第２のセルの特定のリソースで第２の基地局が使用する電力とされる。
【０１２２】
任意の実施形態では、複数の第１のセルと第２のセルの総容量情報を以下の式６を用いて計算してもよい。
【０１２３】
【数１７】
0005935197.tif 000018
【０１２４】
式６では、
【０１２５】
【数１８】
0005935197.tif 000019
【０１２６】
は、ｉ個の第１のセルと当該第２のセルの特定のリソースで第２の基地局により事前設定された送信電力に対応する第２のセルとの総容量情報であり、
【０１２７】
【数１９】
0005935197.tif 000020
【０１２８】
は当該第１のセルの負荷因子であり、
【０１２９】
【数２０】
0005935197.tif 000021
【０１３０】
は、当該第２のセルの特定のリソースで第２の基地局により事前設定された送信電力に対応するｉ番目の第１のセルの容量情報であり、
【０１３１】
【数２１】
0005935197.tif 000022
【０１３２】
は、当該第２のセルの特定のリソースで第２の基地局により事前設定された送信電力に対応する当該第２のセルの容量情報であり、
【０１３３】
【数２２】
0005935197.tif 000023
【０１３４】
は当該第２のセルの負荷因子である。
【０１３５】
本発明の１実施形態では、当該第１の基地局と当該第２の基地局がＸ２接続を確立するとき、当該第１の基地局と当該第２の基地局はそれぞれの負荷情報を互いに対して送信する。当該第２の基地局は、当該第１の基地局が送信した負荷情報を受信し、当該負荷情報を解析して当該第１のセルの負荷因子を取得する。当該第２のセルの当該負荷因子を、その負荷情報から取得してもよい。
【０１３６】
本発明の当該実施形態の具体的な実装では、キャリア集約（Ｃａｒｒｉｅｒ  Ａｇｇｒｅｇａｔｉｏｎ、ＣＡ）のシナリオに対しては、特定のリソースは単一のキャリアまたは１組のキャリアである。ＣＡのシナリオでは、当該第１のセルの容量情報が当該第１のセルの容量である場合には、送信電力を決定するための方法は、ｅＩＣＩＣのシナリオにおいて送信電力を決定するための方法と同様である。違いは、ＣＡのシナリオでは、当該第２のセルの特定のリソースで第２の基地局により事前設定された送信電力に対応する当該第１のセルの容量情報を、当該第１のセルがサービスするユーザ機器が報告した当該現在のセルと当該隣接セルの測定情報に従って第１の基地局が計算する方法が、ｅＩＣＩＣのシナリオで使用した方法とは異なることである。詳細な説明は以下の通りである。
【０１３７】
同様に、ＲＳＲＰである測定情報を１例として、ＣＡのシナリオにおいて、当該第１の基地局が、特定のリソースで当該第１のセルがサービスするユーザ機器の各々をラウンド・ロビン（Ｒｏｕｎｄ  Ｒｏｂｉｎ、ＲＲ）スケジュール方式でそれぞれスケジュールすることを説明する。当該第２のセルの特定のリソースで事前設定された複数の送信電力が存在するときには、当該第２のセルの特定のリソースで当該第２の基地局により事前設定された当該複数の送信電力の各々を現在の電力とし、当該第１のセルがサービスするユーザ機器の各々が報告した現在のセルと当該隣接セルの測定情報に従って、現在の電力に対応する当該第１のセルの容量と、当該第１のセルの特定のリソースでスケジュールされたユーザ機器の各々が取得した容量をそれぞれ計算し、当該第１のセルの特定のリソースでスケジュールされたユーザ機器の各々が取得した容量に従って現在の電力に対応する当該第１のセルの容量を計算する。
【０１３８】
任意の実施形態として、当該第１のセルがサービスするユーザ機器ＵＥｎが当該第１のセルの特定のリソースでスケジュールされる場合には、当該第１のセルの特定のリソースでＵＥｎが取得する容量を以下の式７により計算してもよい。
【０１３９】
【数２３】
0005935197.tif 000024
【０１４０】
上の式７では、
【０１４１】
【数２４】
0005935197.tif 000025
【０１４２】
は、当該第１のセルの特定のリソースでスケジュールされたＵＥｎが取得した容量であり、ＲＳＲＰｉはＵＥｎが報告した現在のセル、即ち、当該第１のセルのＲＳＲＰであり、ＲＳＲＰｋは、ＵＥｎが報告した当該隣接セル、特に、当該第３のセルのｋ番目のセルのＲＳＲＰであり、ＲＳＲＰｍは、ＵＥｎが報告した当該隣接セル、特に、当該第２のセルのＲＳＲＰであり、Ｘは、現在の電力の、当該第２の基地局がＲＳを送信した送信電力に対する比率であり、現在の電力は、前述の送信電力の構成可能な８つの段階値のうちの１つである。
【０１４３】
当該第１のセルの特定のリソースでスケジュールされた当該第１のセルがサービスするユーザ機器の各々により取得された容量を式７に従って計算した後、当該第１の基地局は、当該第１のセルの特定のリソースで当該第１のセルがサービスするユーザ機器の各々により取得された容量を加算して平均値を取得し、現在の電力に対応する当該第１のセルの容量を取得する。任意の実施形態として、特に、以下の式８を使用して現在の電力に対応する当該第１のセルの容量を計算してもよい。
【０１４４】
【数２５】
0005935197.tif 000026
【０１４５】
上の式８では、
【０１４６】
【数２６】
0005935197.tif 000027
【０１４７】
は、現在の電力に対応する当該第１のセルの容量であり、Ｎは当該第１の基地局がサービスするユーザ機器の全数である。基地局がサービスするユーザ機器は当該基地局に登録されているので、当該第１の基地局は当該第１の基地局がサービスするユーザ機器の全数を認識する。
【０１４８】
【数２７】
0005935197.tif 000028
【０１４９】
は、当該第１のセルがサービスするユーザ機器ＵＥｎが取得した容量であり、当該第１のセルの特定のリソースでスケジュールされる。
【０１５０】
当該実施形態の実装形態では、当該測定情報がＣＱＩであるとき、当該第２のセルの特定のリソースで第２の基地局により事前設定された送信電力に対応する当該第１のセルの容量情報を計算するための方法は、報告されたＣＱＩに対応する周波数スペクトル効率を、当該第１のセルの特定のリソースで当該第１のセルがサービスするユーザ機器により報告されたＣＱＩに従って直接取得するステップと、全てのユーザ機器が報告したＣＱＩに対応する周波数スペクトル効率を処理、例えば、平均化、重み付け平均化等して、当該第１のセルの処理された周波数スペクトル効率を取得するステップと、当該周波数スペクトル効率を、当該第２のセルの特定のリソースで第２の基地局により事前設定された送信電力に対応する当該第１のセルの容量情報とするステップとを含む。
【０１５１】
その後、当該第１の基地局が、当該第２のセルの特定のリソースで第２の基地局により事前設定された送信電力に対応する計算された当該第１のセルの容量情報を当該電力決定装置に送信して、当該電力決定装置が、受信した当該第１のセルの容量情報に従って当該第２のセルの特定のリソースで第２の基地局の送信電力を決定するようにしてもよい。当該部分に関する詳細な説明についてはステップ２０３乃至２０５の説明を参照でき、ここでは冗長に説明することはしない。
【０１５２】
本発明の１実施形態の具体的な実装では、特定のリソースが単一の物理リソース・ブロック（ｐｈｙｓｉｃａｌ  ｒｅｓｏｕｒｃｅ  ｂｌｏｃｋ、ＰＲＢ）または１組の物理リソース・ブロックであるときには、送信電力を決定するための方法はＣＡのシナリオにおいて送信電力を決定するための方法と同じであり、したがってここでは冗長に説明することはしない。
【０１５３】
本発明の当該諸実施形態で提供した上述の技術的解決策では、第１の基地局により送信された当該第１のセルの容量情報を受信し、当該第２のセルの容量情報を取得し、当該第２のセルの特定のリソースで第２の基地局が使用する電力を当該第１のセルの容量情報と当該第２のセルの容量情報に従って決定する技術的解決策の実装により、第１のセルと第２のセルの総容量の最大化を保証することができる。
【０１５４】
図３に示すように、本実施形態では送信電力を決定するための方法を提供する。当該方法は以下の内容を含む。
【０１５５】
３０１では、第１の基地局が当該第１のセルの容量情報を第２の基地局に送信する。当該第１のセルの容量情報は、当該第２のセルの特定のリソースで当該第２の基地局により事前設定された送信電力に対応し、特定のリソースは当該第１のセルと当該第２のセルにより共有された無線リソースであり、当該第１の容量情報は、当該第２のセルの特定のリソースで送信電力を決定するために当該第２の基地局により使用される。
【０１５６】
特に、当該第２の基地局により当該第２のセルの特定のリソースで使用される送信電力を決定するための方法については上述の実施形態を参照してもよく、したがってここでは冗長に説明することはしない。
【０１５７】
任意の実施形態として、当該第１のセルの容量情報に、当該第１の基地局により当該第２の基地局に送信された負荷情報（例えば、負荷情報メッセージ）を含めてもよい。
【０１５８】
別の任意の実施形態として、図３に示すステップ３０１の前に、当該方法はさらに、３００で当該第１の基地局が当該第２の基地局により送信された容量要求情報を受信することを含んでもよい。
【０１５９】
この場合、上の３０１は特に、当該第１の基地局が当該容量要求情報に従って当該第１のセルの容量情報を当該第２の基地局に送信することであってもよい。場合によっては、当該容量要求情報を、当該第２の基地局によって当該第１の基地局に送信されたリソース状態要求メッセージ（例えば、Ｒｅｓｏｕｒｃｅ  Ｓｔａｔｕｓ  Ｒｅｑｕｅｓｔメッセージ）に含めてもよく、当該第１のセルの容量情報を、当該第１の基地局によって当該第２の基地局に送信されたリソース状態更新メッセージ（例えば、Ｒｅｓｏｕｒｃｅ  Ｓｔａｔｕｓ  Ｕｐｄａｔｅメッセージ）に含めてもよい。
【０１６０】
さらに、上述の実施形態では、当該第１の基地局が、当該第２のセルの特定のリソースで第２の基地局により事前設定された送信電力およびユーザ機器により報告された当該第１のセルと隣接セルの測定情報に従って、当該第１のセルの容量情報を計算してもよい。上述の実施形態で提供した技術的解決策では、当該第２の基地局が当該第１の基地局により当該第１のセルの容量情報を当該第２の基地局に送信し、当該第２の基地局が当該第２のセルの特定のリソースで使用される送信電力を当該第１のセルの容量情報に従って決定できるようにする。したがって、当該第１のセルの容量を保証することができる。
【０１６１】
本発明の１実施形態の別の態様では電力決定装置を提供する。図４を参照すると、当該電力決定装置が方法の実施形態における第２の基地局または制御ノードであってもよく、受信器４０１と第１のプロセッサ４０２を備える。
【０１６２】
受信器４０１は、第１の基地局により送信された第１のセルの容量情報を受信するように構成される。当該第１のセルの容量情報は、第２のセルの特定のリソースで当該第２の基地局により事前設定された送信電力に対応し、特定のリソースは当該第１のセルと当該第２のセルにより共有された無線リソースであり、第１のプロセッサ４０２は、当該第２のセルの特定のリソースで当該第２の基地局によって使用される送信電力を、受信器４０１が受信した当該第１のセルの容量情報と第１のプロセッサ４０２が取得した当該第２のセルの容量情報に従って決定するように構成される。
【０１６３】
本実施形態の１実施形態の具体的な実装では、第１のプロセッサ４０２は特に、当該第１のセルの平均容量を当該第１のセルの容量情報に従って計算し、当該第２のセルの特定のリソースで当該第２のセルのサービング基地局が使用する送信電力を当該第１のセルの当該平均容量に従って決定するように構成される。
【０１６４】
さらに、第１のプロセッサ４０２は特に、電力決定装置に対して、当該第１のセルの平均容量が所定の容量閾値を満たす最大送信電力を決定し、最大送信電力を当該第２のセルの特定のリソースで当該第２のセルのサービング基地局により使用される送信電力とするように構成される。
【０１６５】
本実施形態の１実施形態の具体的な実装では、当該第２のセルの特定のリソースで当該第２のセルのサービング基地局により事前設定された複数の送信電力が存在する場合には、当該第２のセルの特定のリソースで当該第２のセルのサービング基地局により事前設定された送信電力と１対１に対応する当該第１のセルの複数の容量情報が存在する。
【０１６６】
本発明で提供する上述の技術的解決策により、電力決定装置が、当該第１のセルのサービング基地局によって送信された当該第１のセルの容量情報を受信し、当該第２のセルの特定のリソースで当該第２のセルのサービング基地局により使用される送信電力を当該第１のセルの容量情報に従って決定する。したがって、当該第１のセル（即ち犠牲セル）の容量を保証することができる。
【０１６７】
図５を参照すると、任意の実施形態として、図４に示す装置はさらに、当該第２のセルの容量情報を取得し、当該第２のセルの特定のリソースで当該第２のセルのサービング基地局により使用される送信電力を当該第１のセルの容量情報と当該第２のセルの容量情報に従って決定するように構成された第２のプロセッサ４０３であって、当該第２のセルの容量情報は当該第２のセルの特定のリソースで当該第２のセルのサービング基地局により事前設定された送信電力に対応する第２のプロセッサ４０３を備える。
【０１６８】
本発明の１実施形態の具体的な実装では、当該第１の基地局と当該電力決定装置が当該第２のセルの特定のリソースで第２の基地局により事前設定された送信電力と事前交渉していないシナリオに対して、受信器４０１はさらに、当該第１の基地局により送信された当該第１のセルの容量情報に対応する当該第２のセルの特定のリソースで第２の基地局により事前設定された送信電力に関する情報を受信するように構成される。
【０１６９】
本発明の１実施形態の具体的な実装では、当該第１の基地局と当該電力決定装置が当該第２のセルの特定のリソースで第２の基地局により事前設定された送信電力と事前交渉していないシナリオに対して、当該電力決定装置は制御ノードでありるときには、受信器４０１はさらに、当該第２の基地局により送信された当該第２のセルの容量情報に対応する当該第２のセルの特定のリソースで第２の基地局により事前設定された送信電力に関する情報を受信するように構成される。
【０１７０】
本発明の１実施形態では、当該電力決定装置が制御ノードであるとき、第２のプロセッサ４０３は特に、第２の基地局が送信した第２のセルの容量情報を受信するように構成される。当該電力決定装置が第２の基地局であるとき、第２のプロセッサ４０３は特に、当該第２のセルの特定のリソースで第２の基地局により事前設定された送信電力と当該第２のセルがサービスするユーザ機器が報告した測定情報に従って当該第２のセルの容量情報を計算するように構成される。
【０１７１】
図６を参照すると、本発明の１実施形態では、図５に示す第２のプロセッサ４０３は、当該第２のセルの特定のリソースで第２の基地局により事前設定された複数の送信電力が存在し、当該第２のセルの特定のリソースで第２の基地局により事前設定された送信電力に対応する当該第１のセルの複数の容量情報が存在し、当該第２のセルの特定のリソースで当該第２の基地局により事前設定された送信電力に対応する当該第２のセルの複数の容量情報が存在するときに、当該第１のセルと当該第２のセルの総容量情報を当該第１のセルの容量情報と当該第２のセルの容量情報に従って計算するように構成された計算ユニット４０３１であって、当該第２のセルの特定のリソースで当該第２の基地局により事前設定された送信電力に対応する複数の総容量情報が存在する計算ユニット４０３１と、計算された当該複数の総容量情報から最大総容量情報を選択し、当該最大総容量情報に対応する電力を当該第２のセルの特定のリソースで第２の基地局が使用する電力とするように構成された決定ユニット４０３２と、を備える。
【０１７２】
本発明の１実施形態で提供した上述の技術的解決策では、第１の基地局により送信された当該第１のセルの容量情報を受信し、当該第２のセルの容量情報を取得し、当該第２のセルの特定のリソースで第２の基地局が使用する電力を当該第１のセルの容量情報と当該第２のセルの容量情報に従って決定する技術的解決策の実装により、第１のセルと第２のセルの総容量の最大化を保証することができる。
【０１７３】
本発明の１実施形態のさらに別の態様では基地局を提供する。図７を参照すると、当該基地局は特に上述の方法実施形態における第１の基地局であってもよく、第１のセルの容量情報を第２のセルのサービング基地局に送信するように構成された送信器５０１であって、当該第１のセルの容量情報は当該第２のセルの特定のリソースで当該第２のセルのサービング基地局によって事前設定された送信電力に対応し、特定のリソースは当該第１のセルと当該第２のセルにより共有された無線リソースであり、当該第１の容量情報は、当該第２のセルの特定のリソースで使用される送信電力を決定するために当該第２のセルのサービング基地局によって使用される送信器５０１を備える。
【０１７４】
任意の実施形態として、当該第１のセルの容量情報は、当該第１のセルのサービング基地局により当該第２のセルのサービング基地局に送信された負荷情報に含まれる。
【０１７５】
図８を参照すると、別の任意の実施形態として、図７に示す基地局はさらに、当該第２のセルのサービング基地局によって送信された容量要求情報を受信するするように構成された受信器５０２を備える。
【０１７６】
したがって、送信器５０１は特に、当該第１のセルの容量情報を容量要求情報に従って当該第２のセルのサービング基地局に送信するように構成される。
【０１７７】
場合によっては、当該容量要求情報は当該第２のセルのサービング基地局によって当該第１のセルのサービング基地局に送信されるリソース状態要求メッセージに含まれ、当該第１のセルの容量情報は当該第１のセルのサービング基地局によって当該第２のセルのサービング基地局に送信されたリソース状態更新メッセージに含まれる。
【０１７８】
さらに、上述の実施形態では、当該基地局を、当該第２のセルの特定のリソースで第２の基地局により事前設定された送信電力およびユーザ機器によって報告された当該第１のセルと隣接セルの測定情報に従って当該第１のセルの容量情報を計算するように構成してもよい。上述の実施形態で提供した技術的解決策では、当該第１の基地局が、当該第１のセルの容量情報を当該第２の基地局に送信して、当該第２の基地局が当該第２のセルの特定のリソースで使用される送信電力を当該第１のセルの容量情報に従って決定し、当該第１のセルの容量を保証できるようにする。
【０１７９】
さらに、本発明の１実施形態はさらに送信電力を決定するためのシステムを提供する。図９を参照すると、当該システムは第１の基地局６０１と電力決定装置６０２を備える。
【０１８０】
上の第１の基地局６０１は、第１のセルの容量情報を電力決定装置６０２に送信するように構成され、当該第１のセルの容量情報は当該第２のセルの特定のリソースで第２の基地局により事前設定された送信電力に対応し、当該特定のリソースは当該第１のセルと当該第２のセルにより共有される無線リソースである。上の電力決定装置６０２は、第１の基地局により送信された当該第１のセルの容量情報を受信し、当該第２のセルの特定のリソースで第２の基地局が使用する電力を当該第１のセルの容量情報に従って決定するように構成される。
【０１８１】
本発明で提供する上述の技術的解決策により、電力決定装置が、当該第１のセルのサービング基地局によって送信された当該第１のセルの容量情報を受信し、当該第２のセルの特定のリソースで当該第２のセルのサービング基地局により使用される送信電力を当該第１のセルの容量情報に従って決定する。したがって、当該第１のセル（即ち犠牲セル）の容量を保証することができる。
【０１８２】
任意の実施形態として、電力決定装置６０２ははさらに、当該第２のセルの容量情報を取得し、当該第２のセルの特定のリソースで当該第２のセルのサービング基地局により使用される送信電力を当該第１のセルの容量情報と当該第２のセルの容量情報に従って決定し、第１のセルと第２のセルの総容量の最大化を保証するように構成され、当該第２のセルの容量情報は当該第２のセルの特定のリソースで当該第２のセルのサービング基地局により事前設定された送信電力に対応する。
【０１８３】
本発明の１実施形態では、電力決定装置６０２は特に上述の方法の実施形態で説明した第２の基地局または制御ノードであり、その詳細な構造については図４、５、または６を参照してもよく、第１の基地局６０１の詳細な構造については図７と図８に示す基地局を参照してもよいので、ここでは冗長に説明することはしない。
【０１８４】
本発明の諸実施形態で説明した装置間の相互作用については上述の方法の実施形態の説明を参照してもよく、したがってここでは冗長に説明することはしない。
【０１８５】
上述の実施形態のステップの全部または一部をハードウェアで実装してもよく、または、関連するハードウェアに指示するプログラムによって実装してもよいことは当業者には理解される。当該プログラムをコンピュータ可読記憶媒体に格納してもよく、上述の記憶媒体が読取専用メモリ、磁気ディスク、光ディスク等であってもよい。
【０１８６】
以上の諸実施形態は本発明の好適な実施形態にすぎず、本発明を限定するものではない。本発明の原理において行った全ての修正、均等な置換え、または改善は本発明の保護範囲に入るものとする。
【符号の説明】
【０１８７】
４０１  受信器
４０２  第１のプロセッサ
４０３  第２のプロセッサ
４０３１  計算ユニット
４０３２  決定ユニット
５０１  送信器
５０２  受信器
６０１  第１の基地局
６０２  電力決定装置
【図１】
0005935197.tif 000029
【図２】
0005935197.tif 000030
【図３】
0005935197.tif 000031
【図４】
0005935197.tif 000032
【図５】
0005935197.tif 000033
【図６】
0005935197.tif 000034
【図７】
0005935197.tif 000035
【図８】
0005935197.tif 000036
【図９】
0005935197.tif 000037